(57)【要約】【課題】薬剤を効果的に揮散させ、使用寿命を延長でき使用実感の高い薬剤揮散具を提供する。【解決手段】本発明の薬剤揮散具の一態様は、揮発性を有する薬剤を封入したマイクロカプセルを担持した担持体と、揮散孔を有し、担持体を移動可能に収容した容器と、を有する。【選択図】図３
2018042878.tif 000002
【特許請求の範囲】
【請求項１】
揮発性を有する薬剤を封入したマイクロカプセルを担持した担持体と、
揮散孔を有し、前記担持体を移動可能に収容した容器と、
を有することを特徴とする薬剤揮散具。
【請求項２】
振動源の振動を前記容器に与える振動付与手段をさらに有することを特徴とする請求項１に記載の薬剤揮散具。
【請求項３】
前記振動付与手段は、前記振動源と前記容器をつないだ紐状部材を含むことを特徴とする請求項２に記載の薬剤揮散具。
【請求項４】
前記紐状部材は、伸縮可能な材料により形成されていることを特徴とする請求項３に記載の薬剤揮散具。
【請求項５】
前記振動付与手段は、前記容器の外側に設けた衝突部材と、この衝突部材と前記容器をつないだ紐状部材と、を有し、前記紐状部材を前記振動源に結び付けて使用することを特徴とする請求項２に記載の薬剤揮散具。
【請求項６】
前記衝突部材は、揮発性を有する薬剤を封入したマイクロカプセルを担持した担持体を移動可能に収容した、揮散孔を有する別の容器であることを特徴とする請求項５に記載の薬剤揮散具。
【請求項７】
前記容器は、凸凹を有する内面を有することを特徴とする請求項１乃至請求項５のいずれかに記載の薬剤揮散具。
【請求項８】
前記容器および前記別の容器の少なくとも一方は、凸凹を有する内面を有することを特徴とする請求項６に記載の薬剤揮散具。
【請求項９】
前記容器内に前記担持体とともに収容した接触体をさらに有することを特徴とする請求項１−５、７のいずれかに記載の薬剤揮散具。
【請求項１０】
前記容器および前記別の容器の少なくとも一方内に前記担持体とともに収容した接触体をさらに有することを特徴とする請求項６または請求項８に記載の薬剤揮散具。
【発明の詳細な説明】
【技術分野】
【０００１】
本発明は、芳香剤や消臭剤などの薬剤を揮散させるための薬剤揮散具に関する。
【背景技術】
【０００２】
従来、例えば自動車用芳香剤として、車体に対して揺動可能に取り付けた容器内に芳香剤の粒体を収容したものが知られている。この種の芳香剤は、自動車の揺れを利用して芳香剤の粒体を容器内で撹拌し、芳香剤の粒体を空気と接触させて芳香成分を揮散させる。
【先行技術文献】
【特許文献】
【０００３】
【特許文献１】実開昭６１−３６６３８号公報
【特許文献２】実開平６−４４７号公報
【発明の概要】
【発明が解決しようとする課題】
【０００４】
上述した従来の芳香剤によると、自動車の移動中に芳香成分が比較的多く揮散されるが、自動車が停止した後も芳香成分が揮散され続ける。このため、駐車場に停めている間など、自動車を使用していないときでも芳香成分が消費され、その分、芳香剤の使用寿命が短くなる。
【０００５】
また、上述した従来の芳香剤は、使用期間中に同一の芳香成分のみが一定量揮散されるため、使用者がその香りに慣れてしまい、使用を開始した当初ほどには芳香を感じなくなる傾向がある。
【０００６】
本発明は、上記の点に鑑みてなされたもので、薬剤を効果的に揮散させることで使用寿命を延長でき、高い使用実感を得ることができる薬剤揮散具を提供することを目的とする。
【課題を解決するための手段】
【０００７】
本発明の薬剤揮散具の一態様は、揮発性を有する薬剤を封入したマイクロカプセルを担持した担持体と、揮散孔を有し、担持体を移動可能に収容した容器と、を有する。
【発明の効果】
【０００８】
本発明の一態様によれば、薬剤を効果的に揮散させることで使用寿命を延長でき、高い使用実感を得ることができる薬剤揮散具を提供することができる。
【図面の簡単な説明】
【０００９】
【図１】図１は、第１の実施形態に係る薬剤揮散具を示す斜視図である。
【図２】図２は、図１の薬剤揮散具の要部の構造を示す概略図である。
【図３】図３は、第２の実施形態に係る薬剤揮散具の要部を示す概略図である。
【図４】図４は、各実施形態の薬剤揮散具の使用例を示す図である。
【発明を実施するための形態】
【００１０】
以下、本発明の実施形態について図面を参照して説明する。  
図１に示すように、第１の実施形態に係る薬剤揮散具１０は、内部が空洞の略球形の２つの容器２、４を環状のゴム紐６（紐状部材）でつないだ構造を有する。ゴム紐６は、必ずしも環状である必要はなく１本の紐状部材であってもよく、必ずしも伸縮可能な材料により形成しなくてもよい。
【００１１】
図２に示すように、一方の容器２の中には、揮発性を有する薬剤（芳香剤や消臭剤など）を封入したマイクロカプセル（図示せず）を担持したマイクロカプセル担持体１、およびマイクロカプセル担持体１に接触する接触体３（以下、総称して内容物１、３とする場合もある）が収容されている。マイクロカプセル担持体１、および接触体３の個数は任意に設定可能であり、形状や大きさも任意に設定可能であり、容器２に振動を与えたときに容器２内で移動可能であればよい。
【００１２】
もう一方の容器４（別の容器）は、容器２と同じように内容物１、３を収容してもよく、内容物１、３を収容しなくてもよい。２つの容器２、４の大きさや形状も同じである必要はない。容器４は、内部を空洞にする必要もない。しかし、本実施形態では、容器４を容器２と同じ構造に形成した。つまり、２つの容器２、４を同じ形状にし、容器４内にも内容物１、３を収容した。よって、以下の説明では、一方の容器２の構造について詳細に説明し、他方の容器４の構造については、容器２と同様に機能する構成要素に同一符号を付してその詳細な説明を省略する。なお、容器４は、内容物１、３を収容してもしなくても、容器２に衝突することで振動を与える衝突部材（振動付与手段）として機能する。
【００１３】
上記の構造を有する薬剤揮散具１０は、例えば、図４に示すように、車のヘッドレスト１２に結び付けたり、バックミラーに括り付けたり、エアコンの吹き出し口にあるルーバーに引っ掛けて取り付けたり、後部座席の上方にあるアシストグリップに結び付けたりして使用することができる。薬剤揮散具１０を例えばヘッドレスト１２に結び付ける場合、ゴム紐６をヘッドレスト１２の一方の支柱１２ａに結び付ける。本実施形態の薬剤揮散具１０は、容器２に振動を与えることで、マイクロカプセル担持体１のマイクロカプセルが破袋して薬剤が揮散するものであるため、車などの移動体に取り付けて使用するのに適している。
【００１４】
以下、薬剤揮散具１０の構造についてより詳細に説明する。  
図２に示すように、容器２は、略半球状の２つの透明な樹脂ケース２ａ、２ｂの開口部を互いに嵌め合わせた構造を有する。一方の樹脂ケース２ａには、複数個の円形の揮散孔２ｃが樹脂ケース２ａを貫通して設けられている。これに対し、他方の樹脂ケース２ｂには、揮散孔２ｃが設けられていない。揮散孔２ｃの大きさは、内容物１、３が通過できない大きさに設計されている。揮散孔２ｃの個数や形状は任意に設定可能である。樹脂ケース２ａ、２は、透明である必要はなく例えば樹脂ケース２ａ、２ｂの表面に絵柄を描いてもよい。
【００１５】
容器２内にマイクロカプセル担持体１、および接触体３を収容する場合、まず、揮散孔２ｃの無い樹脂ケース２ｂ内に内容物１、３を収容し、樹脂ケース２ｂの開口部にシール部材（図示せず）を貼り付けて密閉する。樹脂ケース２ｂの開口部には、もう一方の樹脂ケース２ａを嵌合する段部が設けられており、開口部の縁にシール部材が貼り付けられる。この状態で、樹脂ケース２ｂに振動が与えられてマイクロカプセル担持体１のマイクロカプセルが破袋しても、薬剤が外部に揮散することを防止できる。
【００１６】
そして、開口部を密閉したシール部材を覆うようにもう一方の樹脂ケース２ａを段部に嵌合する。このとき、樹脂ケース２ａ内には内容物１、３を収容しない。２つの樹脂ケース２ａ、２ｂを嵌合させる際には、一方の樹脂ケース２ａの開口部の縁を他方の樹脂ケース２ｂの開口部の縁にある段部に重ねて圧入させてもよく、或いは段部にネジを設けて両者を螺合してもよい。
【００１７】
シール部材は、薬剤揮散具１０の使用時に取り除かれる。この場合、例えば、一方の樹脂ケース２ａ（２ｂ）の開口部近くにシール部材を取り除くためのスリット（図示せず）を設けておき、このスリットを介してシール部材を引き抜くようにしてもよい。或いは、一旦、２つの樹脂ケース２ａ、２ｂを分離してシール部材を剥がしてから２つの樹脂ケース２ａ、２ｂを再び嵌合させるようにしてもよい。シール部材を取り除くと、容器２内で内容物１、３が移動自在となり、複数の揮散孔２ｃを介して薬剤の揮散が可能となる。
【００１８】
或いは、２つの樹脂ケース２ａ、２ｂの間にシール部材を設ける代わりに、揮散孔２ｃを有する樹脂ケース２ａの外表面を覆うシール部材（図示せず）を貼り付けてもよい。この場合、もう一方の樹脂ケース２ｂにも揮散孔２ｃを設けて容器２の外表面全体をシール部材で覆うようにしてもよい。いずれにしても、シール部材は、容器２の外表面から剥離可能であり、使用時に容器２から取り除かれる。また、或いは、シール部材を容器２の表面に貼り付けるのではなく、容器２全体を覆う外側ケース（図示せず）をさらに設けて容器２全体を密閉するようにしてもよい。
【００１９】
容器２の内面、すなわち樹脂ケース２ａ、２ｂの内面には、凸凹を設けてもよい。この場合、２つの樹脂ケース２ａ、２ｂのうち少なくとも一方の内面に凸凹を設ければよい。凸凹の突出高さや大きさは任意に設定可能であり、凸凹の数も任意に設定可能であり、凸凹を設ける領域や面積も任意に設定可能である。容器内面の凸凹は、マイクロカプセル担持体１が容器内面にぶつかった際にマイクロカプセルの破袋を促進するよう機能するものであればよい。
【００２０】
一方の樹脂ケース２ａの開口部の縁には、ゴム紐６をつなげるための取付孔７ａを有する突起７が設けられている。突起７は、容器２の外表面の任意の位置から突設すればよい。或いは、複数個の揮散孔２ｃを有する一方の樹脂ケース２ａに孔を開けてゴム紐６を挿通してつなぐようにしてもよい。この場合、ゴム紐６を通す孔が揮散孔としても機能する。容器２の樹脂ケース２ａに孔を開けてゴム紐６をつなげた一例を図１に示す。
【００２１】
容器２内に収容したマイクロカプセル担持体１は、例えば、薬剤を封入したマイクロカプセルを含むスラリーを香料含浸体に含浸させ、接触体３の間に収容配置されたものである。香料含浸体として、例えば、多孔性セルロース粒子であるビスコパール（商品名）、紙、多孔性ケイ酸カルシウム粒子であるフローライト、ＥＶＡ（エチレン酢酸ビニルコポリマー）ビーズなどが用いられる。マイクロカプセルは、外部から圧力が加えられた際に破袋して内部に封入した薬剤を放出する。マイクロカプセルを含むスラリーは、香料含浸体に含浸され表面に塗布されているため、香料含浸体の外部から圧力が加わった際にマイクロカプセルが破袋するようになっている。この際、外部からの圧力は、摩擦などの接触による加圧を含む。
【００２２】
接触体３は、マイクロカプセルを含浸しておらず、形状も球体に限らない。本実施形態では、接触体３を比較的凸凹の多い星型に形成した。接触体３は、走行中の車など外部の振動源からの振動によって容器２内で移動してマイクロカプセル担持体１にぶつかる（接触する）。これにより、マイクロカプセル担持体１のマイクロカプセルが破袋して薬剤が揮散される。
【００２３】
以下、上述した第１の実施形態の薬剤揮散具１０の作用について説明する。  
薬剤揮散具１０は、ゴム紐６を取付対象物に結び付けることで取り付けが可能であるため、従来、薬剤揮散具１０の設置場所の確保が難しかった場所にも設置することができる。例えば、車のヘッドレスト１２やバックミラーなど、車内の比較的高い位置に取り付けることもできる。薬剤揮散具１０は、車、自転車、ベビーカーなどの移動体に取り付けるのに適しているが、取り付け場所は車などの移動体に限らず、人間や動物の身体に身に着けたり、マッサージチェアや掃除機、ドアノブなど振動を発生する振動源に直接取り付けることも有効である。この場合、取付対象物である振動源に結び付けるゴム紐６は、容器２（容器４）に振動を与える振動付与手段として機能する。なお、この場合、２つの容器２、４が互いに衝突する場合も考えられることから、容器２に対して容器４も振動付与手段として機能し、容器４に対して容器２も振動付与手段として機能する。
【００２４】
薬剤揮散具１０を車などの移動体に取り付けた場合、車の静止時にはマイクロカプセル担持体１に担持された薬剤は揮散しない。そして、車の走行時には、車体に発生する振動が薬剤揮散具１０に伝えられ、容器２（容器４）内に収容したマイクロカプセル担持体１が接触体３と衝突して接触するとともに容器２の内面に衝突する。これにより、マイクロカプセル担持体１のマイクロカプセルが破袋し、中の薬剤が放出されて空気中に揮散する。つまり、本実施形態の薬剤揮散具１０は、外部から振動が与えられてマイクロカプセル担持体１が他の部材に接触することで薬剤の揮散を開始するものであり、言い換えると外部からの振動が与えられない静止した状態では薬剤を揮散しない。このため、例えば薬剤揮散具１０を車に取り付けた場合、走行時には薬剤を積極的に揮散する一方、駐車場に停めた後はしばらくしてマイクロカプセル担持体１からは薬剤の揮散をしなくなる。
【００２５】
以上のように、第１の実施形態によると、薬剤の揮散が必要なときにより積極的に薬剤を揮散させることができ、薬剤の揮散が不必要であるときには自然に薬剤の揮散が止まる薬剤揮散具１０を提供することができる。そのため、薬剤揮散具１０の使用寿命を延長することができる。例えば、薬剤揮散具１０を車に取り付けた場合、車の走行時に限らず、ドアを開け閉めする際の振動や窓から入る風によっても薬剤揮散具１０が動いてマイクロカプセル担持体１からの薬剤の揮散が始まる。すると、薬剤揮散具１０から揮散される薬剤の量が増加し、高い使用実感を得ることができる。一方、薬剤揮散具１０を未使用の状態で保管して例えば数か月後に使用を開始した場合、保管時に薬剤が揮散することがないため、シール部材を剥がす前の保管期間が長くても、通常通りの使用寿命で使用できる。
【００２６】
次に、第２の実施形態について説明する。  
図３に示すように、第２の実施形態に係る薬剤揮散具１０の一方の容器２の中には、揮発性を有する薬剤（芳香剤や消臭剤など）を封入したマイクロカプセル（図示せず）を担持したマイクロカプセル担持体１、マイクロカプセル担持体１に接触する接触体３、および薬剤担持体５（以下、総称して内容物１、３、５とする場合もある）が収容されている。マイクロカプセル担持体１、接触体３、および薬剤担持体５の個数は任意に設定可能であり、形状や大きさも任意に設定可能であり、容器２に振動を与えたときに容器２内で移動可能であればよい。
【００２７】
もう一方の容器４（別の容器）は、容器２と同じように内容物１、３、５を収容してもよく、内容物１、３、５を収容しなくてもよい。２つの容器２、４の大きさや形状も同じである必要はない。容器４は、内部を空洞にする必要もない。しかし、本実施形態では、容器４を容器２と同じ構造に形成した。つまり、２つの容器２、４を同じ形状にし、容器４内にも内容物１、３、５を収容した。よって、以下の説明では、一方の容器２の構造について詳細に説明し、他方の容器４の構造については、容器２と同様に機能する構成要素に同一符号を付してその詳細な説明を省略する。なお、容器４は、内容物１、３、５を収容してもしなくても、容器２に衝突することで振動を与える衝突部材（振動付与手段）として機能する。
【００２８】
上記の構造を有する薬剤揮散具１０は、例えば、図３に示すように、車のヘッドレスト１２に結び付けたり、バックミラーに括り付けたり、エアコンの吹き出し口にあるルーバーに引っ掛けて取り付けたり、後部座席の上方にあるアシストグリップに結び付けたりして使用することができる。薬剤揮散具１０を例えばヘッドレスト１２に結び付ける場合、ゴム紐６をヘッドレスト１２の一方の支柱１２ａに結び付ける。本実施形態の薬剤揮散具１０は、容器２に振動を与えることで、マイクロカプセル担持体１のマイクロカプセルが破袋して薬剤が揮散するものであるため、車などの移動体に取り付けて使用するのに適している。
【００２９】
以下、第２の実施形態の薬剤揮散具１０の構造についてより詳細に説明する。  
図３に示すように、容器２は、略半球状の２つの透明な樹脂ケース２ａ、２ｂの開口部を互いに嵌め合わせた構造を有する。一方の樹脂ケース２ａには、複数個の円形の揮散孔２ｃが樹脂ケース２ａを貫通して設けられている。これに対し、他方の樹脂ケース２ｂには、揮散孔２ｃが設けられていない。揮散孔２ｃの大きさは、内容物１、３、５が通過できない大きさに設計されている。揮散孔２ｃの個数や形状は任意に設定可能である。樹脂ケース２ａ、２は、透明である必要はなく例えば樹脂ケース２ａ、２ｂの表面に絵柄を描いてもよい。
【００３０】
容器２内にマイクロカプセル担持体１、接触体３、および薬剤担持体５を収容する場合、まず、揮散孔２ｃの無い樹脂ケース２ｂ内に内容物１、３、５を収容し、樹脂ケース２ｂの開口部にシール部材（図示せず）を貼り付けて密閉する。樹脂ケース２ｂの開口部には、もう一方の樹脂ケース２ａを嵌合する段部が設けられており、開口部の縁にシール部材が貼り付けられる。この状態で、樹脂ケース２ｂに振動が与えられてマイクロカプセル担持体１のマイクロカプセルが破袋しても、薬剤が外部に揮散することを防止できる。
【００３１】
そして、開口部を密閉したシール部材を覆うようにもう一方の樹脂ケース２ａを段部に嵌合する。このとき、樹脂ケース２ａ内には内容物１、３、５を収容しない。２つの樹脂ケース２ａ、２ｂを嵌合させる際には、一方の樹脂ケース２ａの開口部の縁を他方の樹脂ケース２ｂの開口部の縁にある段部に重ねて圧入させてもよく、或いは段部にネジを設けて両者を螺合してもよい。
【００３２】
シール部材は、薬剤揮散具１０の使用時に取り除かれる。この場合、例えば、一方の樹脂ケース２ａ（２ｂ）の開口部近くにシール部材を取り除くためのスリット（図示せず）を設けておき、このスリットを介してシール部材を引き抜くようにしてもよい。或いは、一旦、２つの樹脂ケース２ａ、２ｂを分離してシール部材を剥がしてから２つの樹脂ケース２ａ、２ｂを再び嵌合させるようにしてもよい。シール部材を取り除くと、容器２内で内容物１、３、５が移動自在となり、複数の揮散孔２ｃを介して薬剤の揮散が可能となる。
【００３３】
或いは、２つの樹脂ケース２ａ、２ｂの間にシール部材を設ける代わりに、揮散孔２ｃを有する樹脂ケース２ａの外表面を覆うシール部材（図示せず）を貼り付けてもよい。この場合、もう一方の樹脂ケース２ｂにも揮散孔２ｃを設けて容器２の外表面全体をシール部材で覆うようにしてもよい。いずれにしても、シール部材は、容器２の外表面から剥離可能であり、使用時に容器２から取り除かれる。また、或いは、シール部材を容器２の表面に貼り付けるのではなく、容器２全体を覆う外側ケース（図示せず）をさらに設けて容器２全体を密閉するようにしてもよい。
【００３４】
容器２の内面、すなわち樹脂ケース２ａ、２ｂの内面には、凸凹を設けてもよい。この場合、２つの樹脂ケース２ａ、２ｂのうち少なくとも一方の内面に凸凹を設ければよい。凸凹の突出高さや大きさは任意に設定可能であり、凸凹の数も任意に設定可能であり、凸凹を設ける領域や面積も任意に設定可能である。容器内面の凸凹は、マイクロカプセル担持体１が容器内面にぶつかった際にマイクロカプセルの破袋を促進するよう機能するものであればよい。
【００３５】
一方の樹脂ケース２ａの開口部の縁には、ゴム紐６をつなげるための取付孔７ａを有する突起７が設けられている。突起７は、容器２の外表面の任意の位置から突設すればよい。或いは、複数個の揮散孔２ｃを有する一方の樹脂ケース２ａに孔を開けてゴム紐６を挿通してつなぐようにしてもよい。この場合、ゴム紐６を通す孔が揮散孔としても機能する。容器２の樹脂ケース２ａに孔を開けてゴム紐６をつなげた一例を図１に示す。
【００３６】
容器２内に収容したマイクロカプセル担持体１は、例えば、薬剤を封入したマイクロカプセルを含むスラリーを香料含浸体に含浸させ、接触体３および薬剤担持体５の間に収容配置されたものである。香料含浸体として、例えば、多孔性セルロース粒子であるビスコパール（商品名）、紙、多孔性ケイ酸カルシウム粒子であるフローライト、ＥＶＡ（エチレン酢酸ビニルコポリマー）ビーズなどが用いられる。マイクロカプセルは、外部から圧力が加えられた際に破袋して内部に封入した薬剤を放出する。マイクロカプセルを含むスラリーは、香料含浸体に含浸され表面に塗布されているため、香料含浸体の外部から圧力が加わった際にマイクロカプセルが破袋するようになっている。この際、外部からの圧力は、摩擦などの接触による加圧を含む。
【００３７】
接触体３は、マイクロカプセルを含浸しておらず、形状も球体に限らない。本実施形態では、接触体３を比較的凸凹の多い星型に形成した。接触体３は、走行中の車など外部の振動源からの振動によって容器２内で移動してマイクロカプセル担持体１にぶつかる（接触する）。これにより、マイクロカプセル担持体１のマイクロカプセルが破袋して薬剤が揮散される。薬剤担持体５は、マイクロカプセルを用いず、香料等の薬剤を直接分散させたスラリーを、マイクロカプセル担持体１と同様の材質の香料含浸体に含浸させたものである。また、薬剤担持体５に担持させる香料は、マイクロカプセル担持体１が担持する香料とは異なる香りのものを用いることが望ましい。接触体３および薬剤担持体５は、共にマイクロカプセル担持体１に接触してマイクロカプセルの破袋を促進する接触体として機能する。
【００３８】
以下、上述した第２の実施形態の薬剤揮散具１０の作用について説明する。  
薬剤揮散具１０は、ゴム紐６を取付対象物に結び付けることで取り付けが可能であるため、従来、薬剤揮散具の設置場所の確保が難しかった場所にも設置することができる。例えば、車のヘッドレスト１２やバックミラーなど、車内の比較的高い位置に取り付けることもできる。薬剤揮散具１０は、車、自転車、ベビーカーなどの移動体に取り付けるのに適しているが、取り付け場所は車などの移動体に限らず、人間や動物の身体に身に着けたり、マッサージチェアや掃除機、ドアノブなど振動を発生する振動源に直接取り付けることも有効である。この場合、取付対象物である振動源に結び付けるゴム紐６は、容器２（容器４）に振動を与える振動付与手段として機能する。なお、この場合、２つの容器２、４が互いに衝突する場合も考えられることから、容器２に対して容器４も振動付与手段として機能し、容器４に対して容器２も振動付与手段として機能する。
【００３９】
薬剤揮散具１０を車などの移動体に取り付けた場合、車の静止時にはマイクロカプセル担持体１に担持された薬剤は揮散せず、薬剤担持体５に担持された薬剤のみが空気中に揮散する。そして、車の走行時には、車体に発生する振動が薬剤揮散具１０に伝えられ、容器２（容器４）内に収容したマイクロカプセル担持体１が接触体３および薬剤担持体５と衝突して接触するとともに容器２の内面に衝突する。これにより、マイクロカプセル担持体１のマイクロカプセルが破袋し、中の薬剤が放出されて空気中に揮散する。つまり、本実施形態の薬剤揮散具１０は、外部から振動が与えられてマイクロカプセル担持体１が他の部材に接触することで薬剤の揮散を開始するものであり、言い換えると外部からの振動が与えられない静止した状態では薬剤を揮散しない。このため、例えば薬剤揮散具１０を車に取り付けた場合、走行時には薬剤を積極的に揮散する一方、駐車場に停めた後はしばらくしてマイクロカプセル担持体１からは薬剤の揮散をしなくなる。
【００４０】
以上のように、本実施形態によると、薬剤の揮散が必要なときにより積極的に薬剤を揮散させることができ、薬剤の揮散の必要度が低いときには自然に一部の薬剤の揮散が止まる薬剤揮散具１０を提供することができる。そのため、薬剤揮散具１０の使用寿命を延長することができるとともに、高い使用実感を得ることができる。例えば、薬剤揮散具１０を車に取り付けた場合、車の走行時に限らず、ドアを開け閉めする際の振動や窓から入る風によっても薬剤揮散具１０が動いてマイクロカプセル担持体１からの薬剤の揮散が始まる。すると、薬剤揮散具１０から揮散される薬剤の量および種類が増加し、高い使用実感を得ることができる。一方、薬剤揮散具１０を未使用の状態で保管して例えば数か月後に使用を開始した場合、保管時に薬剤が揮散することがないため、シール部材を剥がす前の保管期間が長くても、通常通りの使用寿命で使用できる。
【００４１】
また、本実施形態の薬剤揮散具１０は、薬剤を封入したマイクロカプセルを担持したマイクロカプセル担持体１を収容した２つの容器２、４をゴム紐６でつないだ構造を有するため、ヘッドレストやバックミラーなど車内のあらゆる場所に取り付けることができ、設置場所を自由に選ぶことができ、利便性を向上させることができる。また、容器２、４の形状や大きさを自由に設計できるため、デザイン性を向上させることができる。
【００４２】
以上、実施形態に基づいて本発明を説明したが、本発明は、上述した実施形態に限定されるものではなく、本発明の要旨の範囲内で種々の変形や応用が可能なことは勿論である。
【００４３】
例えば、上述した実施形態の薬剤揮散具１０は、薬剤の揮散が無くなって使用寿命に達した後、容器２、４の樹脂ケースを分割して、新たなマイクロカプセル担持体１や薬剤担持体５に交換することもできる。また、例えば、内容物１、３、５に対し、経時的に色が変わる性質を付与して、薬剤揮散具１０の使用寿命を外部から視認可能としてもよい。この場合、内容物１、３、５とは別に、経時的に色の変わる部材を容器２（または容器４）内に収容してもよい。或いは、マイクロカプセル担持体１の表面に色を付けて、摩擦による色落ちに基づいて使用寿命を判断するようにしてもよい。
【００４４】
また、上述した実施形態では、振動付与手段が容器２につなぐゴム紐６である場合について説明したが、これに限らず、振動付与手段として容器にスプリングを接続したり、容器を揺動可能な保持具に取り付けたりしてもよい。
【００４５】
また、上述した実施形態では、薬剤担持体５は、マイクロカプセルを用いずに香料等の薬剤を担持させたものとして説明したが、これに限らず、第３の実施形態として、マイクロカプセル担持体１と同様に、薬剤担持体５にも薬剤を封入したマイクロカプセルを含むスラリーを香料含浸体に含浸させることで薬剤を担持させてもよい。
【００４６】
この場合、薬剤揮散具１０を車などの移動体に取り付けると、車の走行時には車体に発生する振動が薬剤揮散具１０に伝えられ、容器２（容器４）内に収容したマイクロカプセル担持体１および薬剤担持体５が接触体３と衝突して接触するとともに容器２の内面に衝突する。これにより、マイクロカプセル担持体１および薬剤担持体５のマイクロカプセルが破袋し、中の薬剤が放出されて空気中に揮散する。つまり、薬剤揮散具１０は、外部から振動が与えられてマイクロカプセル担持体１および薬剤担持体５が他の部材に接触することで薬剤の揮散を開始するものであり、言い換えると外部からの振動が与えられない静止した状態では薬剤を揮散しない。このため、例えば薬剤揮散具１０を車に取り付けた場合、駐車場に停めた後はしばらくして薬剤の揮散をしなくなる。
【００４７】
以上のように、第３の実施形態によると、薬剤の揮散が必要なときに効果的に薬剤を揮散させることができ、薬剤の揮散が不要なときには自然に揮散が止まる薬剤揮散具１０を提供することができ、薬剤の不所望な揮散を抑制でき、薬剤揮散具１０の使用寿命を延長することができる。
【符号の説明】
【００４８】
１…マイクロカプセル担持体、  ２、４…容器、  ２ａ、２ｂ…樹脂ケース、  ２ｃ…揮散孔、  ３…接触体、  ５…薬剤担持体、  ６…ゴム紐、  １０…薬剤揮散具。
【図１】
2018042878.tif 000003
【図２】
2018042878.tif 000004
【図３】
2018042878.tif 000005
【図４】
2018042878.tif 000006